(57)【要約】【課題】本発明は、被測定物の溶解性を定量的に測定することが可能な溶解性測定装置を提供することを目的とする。【解決手段】溶解性測定装置は、被測定物の溶媒３に対する溶解性を測定し、被測定物を収納する収納部を有する被回転部材１、被回転部材１を回転させる回転手段２及び被回転部材１を溶媒３中に浸漬させる槽４を少なくとも有する。【選択図】図１
0003132043.tif 000002
【実用新案登録請求の範囲】
【請求項１】
被測定物の溶媒に対する溶解性を測定する溶解性測定装置であって、
該被測定物を収納する収納部を有する被駆動部材、該被駆動部材を駆動させる駆動手段及び該被駆動部材を該溶媒中に浸漬させる槽を少なくとも有することを特徴とする溶解性測定装置。
【請求項２】
前記被駆動部材は、前記収納部を２個以上有することを特徴とする請求項１に記載の溶解性測定装置。
【請求項３】
前記収納部は、凹部であることを特徴とする請求項１又は２に記載の溶解性測定装置。
【請求項４】
前記２個以上の収納部は、同一の深さを有する凹部であることを特徴とする請求項２に記載の溶解性測定装置。
【考案の詳細な説明】
【技術分野】
【０００１】
本考案は、溶解性測定装置に関する。
【背景技術】
【０００２】
固形又はペースト状の組成物は、構成成分に由来して、種々の物理的／化学的特性を有する。例えば、溶解性に着目すると、構成成分が増加すると、各構成成分の溶解性を評価しても、組成物の溶解性を評価することができない。つまり、特定の溶媒（例えば、水系媒体等）中での組成物の適用のしやすさ（例えば、溶解性、分散性等）を評価するためには、実際に特定の溶媒中に組成物を適用する必要があるが、定量的に評価することができず、組成物の適用のしやすさを評価するためには、官能的な評価に頼らざるを得ないのが現状である。
【０００３】
例えば、クレンジングフォームの適用しやすさ、つまり、泡立ちの速さは、組成物を実際に塗布し、その感覚を評価者により評価するという官能評価に頼っている。しかしながら、評価者の経験と感覚に基づく官能評価では、ユーザーが実際に使用する際に、洗顔フォームとして取り扱いやすいと感じるかどうかについて、ばらつきが生じるという問題がある。すなわち、官能評価では、評価者が使用する際の取り扱いやすさを指標としているため、評価者の感覚や、肌の状態によって、受ける感覚が異なることに起因して、評価がばらつく。
【考案の開示】
【考案が解決しようとする課題】
【０００４】
本考案は、上記の従来技術が有する問題に鑑み、被測定物の溶解性を定量的に測定することが可能な溶解性測定装置を提供することを目的とする。
【課題を解決するための手段】
【０００５】
請求項１に記載の考案は、被測定物の溶媒に対する溶解性を測定する溶解性測定装置であって、該被測定物を収納する収納部を有する被駆動部材、該被駆動部材を駆動させる駆動手段及び該被駆動部材を該溶媒中に浸漬させる槽を少なくとも有することを特徴とする。これにより、被測定物の溶解性を定量的に測定することが可能な溶解性測定装置を提供することができる。
【０００６】
請求項２に記載の考案は、請求項１に記載の溶解性測定装置において、前記被駆動部材は、前記収納部を２個以上有することを特徴とする。これにより、２個以上の被測定物の溶解性を定量的に測定することができる。
【０００７】
請求項３に記載の考案は、請求項１又は２に記載の溶解性測定装置において、前記収納部は、凹部であることを特徴とする。これにより、収納部の構造を簡略化することができる。
【０００８】
請求項４に記載の考案は、請求項２に記載の溶解性測定装置において、前記２個以上の収納部は、同一の深さを有する凹部であることを特徴とする。これにより、２個以上の被測定物の溶解性を同一条件で測定することができる。
【０００９】
請求項５に記載の考案は、請求項２に記載の溶解性測定装置において、前記２個以上の収納部は、二種以上の深さを有する凹部であることを特徴とする。これにより、被測定物の溶解性を異なる条件で測定することができる。
【００１０】
なお、本考案において、溶解性とは、被測定物が溶媒に溶解又は分散する性質を意味する用語として用いる。
【考案の効果】
【００１１】
本考案によれば、被測定物の溶解性を定量的に測定することが可能な溶解性測定装置を提供することができる。
【考案を実施するための最良の形態】
【００１２】
次に、本考案を実施するための最良の形態を図面と共に説明する。
【００１３】
図１は、本考案の溶解性測定装置の一例を示す。図１に示す溶解性測定装置は、被測定物を収納する収納部を有する円盤等の被駆動部材１と、被駆動部材１の中心に接続された、例えば、スリーワンモーター等の駆動手段２と、被駆動部材１を溶媒３中に浸漬させる槽４と、槽４を加熱する水浴５を有する。被駆動部材１は、例えば、図２に示す構成を有し、駆動手段２に接続される被駆動部材１の中心から同心円状に等間隔に配置された収納部１ａを有する。
【００１４】
本考案の溶解性測定装置を用いて溶解性の評価を行う際は、まず、被駆動部材１の収納部１ａに被測定物を一定量充填する。次に、槽４内の溶媒３が所定の温度となるように、水浴５を加熱する。さらに、被駆動部材１は、駆動手段２の主軸にセットされ、槽４に充填された溶媒３中に浸漬されるように配置される。被駆動部材１の溶媒３中への浸漬は、水浴５の加熱の前であっても後であってもよいが、被測定物を一定の環境下で評価する場合は、温度制御の面で、水浴５を加熱して溶媒３が所定の温度となった後に行うことが好ましい。被駆動部材１は、溶媒３中に配置された後、駆動手段２の駆動力を用いて、溶媒３中で駆動される。この駆動により、収納部１ａに充填された被測定物は、溶媒３中に溶解又は分散され、経時的に収納部１ａから消失する。その後、被測定物の消失の程度を定量的に測定する。
【００１５】
本考案において、被測定物は、固体又はペースト状の物質であれば、特に限定されないが、クレンジングフォーム、クレンジングクリーム、固形石鹸等の化粧品、味噌、カレールー等の食料品、絵の具等の事務用材料等が挙げられる。
【００１６】
本考案において、被駆動部材１は、中心（駆動手段２が接続される部位）から同心円上に、２個以上の収納部１ａを有することが好ましい。収納部１ａは、被測定物を収納することができれば、その形態は、特に限定されず、被駆動部材１に形成された凹部、被駆動部材１上に設けられた中空部材等であってもよい。
【００１７】
例えば、図２に示すように、被駆動部材１が複数の収納部１ａを有する場合、各収納部１ａの深さは、同一であってもよいし、異なっていてもよく、例えば、各収納部１ａの深さは、０．５、１．０、１．５、２．０及び２．５ｍｍというように、各収納部１ａ間で、線形的に漸増又は漸減してもよい。
【００１８】
本考案において、駆動手段２としては、回転運動可能なもの、上下動可能なもの等を用いることができる。回転運動可能な駆動手段２としては、スリーワンモーター等が挙げられる。例えば、被測定物として、クレンジングフォームを用いる場合、５０ｒｐｍであることが好ましい。また、被測定物の適用状態に応じて、回転速度を種々変更してもよい。
【００１９】
なお、駆動手段２は、手動でその駆動力を制御する手段であってもよいし、予めプログラムされた駆動方法を実行する手段であってもよい。これらの駆動方法は、被測定物の適用状態を反映することが可能な形態であることが好ましい。
【００２０】
本考案において、被測定物の溶解性を評価する溶媒は、特に限定されないが、水、水溶液、懸濁液、乳化液等の水系媒体等が挙げられる。このとき、被測定物の適用状態を反映した溶媒を選択することが好ましい。例えば、クレンジングクリームであれば、水を主体とする水系媒体を用いてもよいし、食品であれば、調味料等の添加剤を含有する水系媒体を用いてもよい。また、被測定物の適用状態に応じて、溶媒の組成を選択してもよい。
【００２１】
本考案において、被測定物の溶解性を評価する際の溶媒の温度は、被測定物の適用状態を反映することが可能な温度であることが好ましい。例えば、クレンジングクリームであれば、ユーザーが実際にクレンジングクリームを使用する４０℃程度の温水を使用することが好ましい。また、味噌等の食料品であれば、７０℃以上の熱水を使用することが好ましい。
【００２２】
本考案の溶解性測定装置を用いると、被駆動部材１の収納部１ａに充填された被測定物が溶媒３中でどの程度溶解又は分散されるかを、評価することができる。例えば、被測定物が収納部１ａに充填された被駆動部材１を溶媒３中で駆動手段２により回転させ、溶媒３中で回転を開始した時間から、被測定物が収納部１ａから完全に消失するまでの時間を、評価値としてもよい。また、溶媒３中で回転を開始した時間から、被測定物が収納部１ａから完全に消失するまでの時間を、収納部１ａへの被測定物の充填量で除した値を評価値としてもよい。また、上述のように、各収納部１ａの深さを線形的に漸増／漸減させた被駆動部材１を用いる場合、被測定物が経時的に消失した収納部１ａの個数を、評価値としてもよい。さらに、収納部１ａからの被測定物の消失の程度は、目視により視覚的に評価してもよい。また、収納部１ａに、電気的に被測定物の消失の程度を検出する電極等の検出手段を設けてもよく、被駆動部材１の上部に、特定の波長の光を照射することにより消失の程度を検出する検出手段を設けてもよく、非視覚的に評価してもよい。
【００２３】
上記のようにして得られた評価値は、従来の官能評価で得た評価値との相関関係を算出するために利用してもよい。相関関係を算出することにより、本考案の溶解性測定装置を用いた評価の条件が適切かどうかを検討するのに使用することが可能となる。
【００２４】
本考案において、収納部１ａに充填される被測定物は、各収納部１ａにおいて、同一の組成物であってもよい。また、各収納部１ａに異なる組成物を充填して、所定の時間でどの程度溶解又は分散される程度が異なるかを評価してもよい。さらに、被測定物に含まれる特定の構成成分に着目し、被測定物中で成分比を変化させることにより、被測定物の溶解性又は分散性に及ぼす影響を評価するために用いてもよい。
【００２５】
なお、上述の例では、被駆動部材１と駆動手段２を用い、収納部１ａに被測定物が充填された被駆動部材１を溶媒３中で回転させることにより、溶解性を評価する方法について説明したが、被駆動部材１を溶媒３中で上下動させることにより、被測定物の溶解性を評価してもよい。
【実施例】
【００２６】
以下、本発明による実施例を記載する。なお、部は、重量部を意味する。
【００２７】
（実施例１）
（処方例１）
イオン交換水                  ３９．５部
グリセリン                    ３０部
ステアリン酸                  １２部
ミリスチン酸                  １０部
ラウリン酸                    ４部
苛性カリ                      ４．５部
（処方例２）
イオン交換水                  ４２部
グリセリン                    ６部
ジプロピレングリコール        ４部
ステアリン酸                  ２０部
ミリスチン酸                  １０部
ラウリン酸                    ５部
苛性カリ                      １３部
（処方例３）
イオン交換水                  ４２部
グリセリン                    ３０部
ココイルグリシンナトリウム    ２０部
ヤシ脂肪酸アルギニン          ３部
コカミドプロピルベタイン      ５部
上記処方例１〜３に示す各成分を混練し、それぞれ、被測定物１〜３を得た。
【００２８】
被測定物１〜３を、図２に示す被駆動部材１に設けられた収納部１ａに一定量充填し、図１に示す溶解性測定装置を用いて水溶性を測定した。具体的には、駆動手段２を回転させ、１分毎に駆動手段２を停止し、被測定物が完全に消失し、底部が目視で確認できた収納部１ａ（凹部）の数を計数した。なお、５分間で底部が目視可能となった収納部１ａの数の累計を算出し、水溶性指数とした。
【図面の簡単な説明】
【００２９】
【図１】本発明の溶解性測定装置の一例を示す図である。
【図２】図１の被回転部材の一例を示す図である。
【符号の説明】
【００３０】
１    被回転部材
１ａ    凹部
２    回転手段
３    溶媒
４    槽
５    水浴
【図１】
0003132043.tif 000003
【図２】
0003132043.tif 000004